(57)【要約】【課題】低コスト化が可能となるレーザ光源及びプロジェクタを提供する。【解決手段】レーザ光源２は、複数の発光素子２２を有する発光部１０と、発光部１０から射出されたレーザ光１８を所定の波長に変換する波長変換素子１２と、波長変換素子１２を、複数の発光素子２２の配置により定まる、発光部１０の発光領域２６と対向する領域内で、揺動自在に駆動する駆動部１６と、駆動部１６による波長変換素子１２の駆動と発光部１０のレーザ光１８の射出を制御する制御部２０と、を含む。【選択図】図１
2008305883.tif 000002
【特許請求の範囲】
【請求項１】
複数の発光素子を有する発光部と、
前記発光部から射出されたレーザ光を所定の波長に変換する波長変換素子と、
前記波長変換素子を、前記複数の発光素子の配置により定まる、前記発光部の発光領域と対向する領域内で、揺動自在に駆動する駆動部と、
前記駆動部による前記波長変換素子の駆動と前記発光部の前記レーザ光の射出とを制御する制御部と、
を含むことを特徴とするレーザ光源。
【請求項２】
請求項１に記載のレーザ光源において、
前記制御部は、前記発光素子の発光状態と前記波長変換素子の位置とが同期するように、前記駆動部と前記発光部とを制御することを特徴とするレーザ光源。
【請求項３】
請求項１又は２に記載のレーザ光源において、
前記制御部は、前記発光部から射出された前記レーザ光が、前記波長変換素子を通過するように、前記駆動部と前記発光部とを制御することを特徴とするレーザ光源。
【請求項４】
請求項１〜３のいずれか一項に記載のレーザ光源において、
前記波長変換素子の、前記発光部から射出された前記レーザ光の光軸に垂直な断面積は、前記発光部の発光領域の平面面積より小さいことを特徴とするレーザ光源。
【請求項５】
請求項４に記載のレーザ光源において、
前記断面積は、少なくとも一つの前記発光素子の発光領域の平面面積より大きいことを特徴とするレーザ光源。
【請求項６】
請求項１〜５のいずれか一項に記載のレーザ光源において、
前記波長変換素子から射出された前記レーザ光のうち所定の波長に変換されなかった光を選択して前記発光部に向かって反射させることによって前記発光部の共振ミラーとして機能する外部共振器を更に含むことを特徴とするレーザ光源。
【請求項７】
請求項１〜６のいずれか一項に記載のレーザ光源において、
前記駆動部は、回転モータ及びリニア振動モータの少なくともいずれか一つを含むことを特徴とするレーザ光源。
【請求項８】
請求項１〜７のいずれか一項に記載のレーザ光源と、
前記レーザ光源から射出されたレーザ光を画像信号に応じて変調する光変調部と、
前記光変調部により形成された画像を投写する投写部と、
を含むことを特徴とするプロジェクタ。
【発明の詳細な説明】
【技術分野】
【０００１】
本発明は、レーザ光源及びプロジェクタに関するものである。
【背景技術】
【０００２】
従来、レーザ光源は高出力のレーザ光を得るため、発光素子をアレイ化する、つまり複数発光素子を使用することで高出力化が行われている。図１０に従来例を示す。レーザ光源１０２は外部共振器型面発光レーザである。発光部１１０は例えば面発光型のレーザで外部共振器１１４との間でレーザ光が共振することによりレーザ発振を行う。波長変換素子１１２は、発光部１１０と外部共振器１１４との間に配置されており、発光部１１０と外部共振器１１４との間でレーザ発振しているレーザ光の波長を半分の波長である第２高調波に変換する特性を持っている。発光部１１０に複数の発光素子１１６が存在する場合、外部共振器１１４と波長変換素子１１２とはすべての発光素子１１６に対応する幅を持ち、配置されている。又、外部共振器を用いたレーザ光源において、外部共振器内に波長変換素子を用いた構造が提案されている（例えば、特許文献１参照）。
【０００３】
【特許文献１】特表２００３−５２６９３０号公報
【発明の開示】
【発明が解決しようとする課題】
【０００４】
波長変換素子の寸法は、発光素子のアレイにより定まる発光部の発光領域に対応する幅が必要になるため、大きくなる。又、映像用のレーザとして可視のレーザが必要であるが、緑色の直接発光のレーザは波長変換素子を用いる必要があるため、高価な波長変換素子が必要になる。
【課題を解決するための手段】
【０００５】
本発明は、上記の課題の少なくとも一部を解決するためになされたものであり、以下の形態又は適用例として実現することが可能である。
【０００６】
［適用例１］複数の発光素子を有する発光部と、前記発光部から射出されたレーザ光を所定の波長に変換する波長変換素子と、前記波長変換素子を、前記複数の発光素子の配置により定まる、前記発光部の発光領域と対向する領域内で、揺動自在に駆動する駆動部と、前記駆動部による前記波長変換素子の駆動と前記発光部の前記レーザ光の射出とを制御する制御部と、を含むことを特徴とするレーザ光源。
【０００７】
これによれば、波長変換素子を揺動自在に駆動させることにより、複数のレーザ光に対し波長変換素子を兼用できる。又、波長変換素子を揺動自在に駆動することにより、波長変換素子の幅を短くすることができ、発光領域より狭い波長変換素子を用いることができる。これにより、低コスト化が可能となるレーザ光源を提供する。
【０００８】
［適用例２］上記レーザ光源であって、前記制御部は、前記発光素子の発光状態と前記波長変換素子の位置とが同期するように、前記駆動部と前記発光部とを制御することを特徴とするレーザ光源。
【０００９】
これによれば、波長変換素子をレーザ光の射出に合わせて移動させることで、無駄のない波長変換素子の駆動ができるので、低コスト化が容易になる。
【００１０】
［適用例３］上記レーザ光源であって、前記制御部は、前記発光部から射出された前記レーザ光が、前記波長変換素子を通過するように、前記駆動部と前記発光部とを制御することを特徴とするレーザ光源。
【００１１】
これによれば、波長変換素子をレーザ光の射出に合わせて移動させることで、無駄のない波長変換素子の駆動ができるので、更に低コスト化が容易になる。
【００１２】
［適用例４］上記レーザ光源であって、前記波長変換素子の、前記発光部から射出された前記レーザ光の光軸に垂直な断面積は、前記発光部の発光領域の平面面積より小さいことを特徴とするレーザ光源。
【００１３】
これによれば、波長変換素子の小型化、低コスト化が容易になる。
【００１４】
［適用例５］上記レーザ光源であって、前記断面積は、少なくとも一つの前記発光素子の発光領域の平面面積より大きいことを特徴とするレーザ光源。
【００１５】
これによれば、波長変換素子を小型化及びレーザ光の第２高調波の変換に無駄がなく、更に低コスト化が容易になる。
【００１６】
［適用例６］上記レーザ光源であって、前記波長変換素子から射出された前記レーザ光のうち所定の波長に変換されなかった光を選択して前記発光部に向かって反射させることによって前記発光部の共振ミラーとして機能する外部共振器を更に含むことを特徴とするレーザ光源。
【００１７】
これによれば、発光部から射出されたレーザ光は、発光部と外部共振器との間で共振することによりレーザ発振が可能となる。外部共振器を含むことで共振波長の安定化が可能となり、発光部と外部共振器との間に波長変換素子を置くことで波長変換効率の向上が可能となる。
【００１８】
［適用例７］上記レーザ光源であって、前記駆動部は、回転モータ及びリニア振動モータの少なくともいずれか一つを含むことを特徴とするレーザ光源。
【００１９】
これによれば、駆動部の構成が容易になる。
【００２０】
［適用例８］上記に記載のレーザ光源と、前記レーザ光源から射出されたレーザ光を画像信号に応じて変調する光変調部と、前記光変調部により形成された画像を投写する投写部と、を含むことを特徴とするプロジェクタ。
【００２１】
これによれば、波長変換素子を揺動自在に駆動させることにより、複数のレーザ光に対し波長変換素子を兼用できる。又、波長変換素子を揺動自在に駆動することにより、波長変換素子の幅を短くすることができ、発光領域より狭い波長変換素子を用いることができるレーザ光源を含む。これにより、低コスト化が可能となるプロジェクタを提供する。
【発明を実施するための最良の形態】
【００２２】
実施の形態について図面を参照して以下に説明する。
（第１の実施の形態）
第１の実施の形態について次に説明する。
図１（Ａ）は、第１の実施の形態に係るレーザ光源２の概略構成を示す図である。図１（Ｂ）は、図１（Ａ）の波長変換素子１２のＩ−Ｉ線における断面図を示す図である。図１（Ｃ）は、図１（Ａ）の発光部１０のII−II線における断面図を示す図である。本実施の形態に係るレーザ光源２は、発光部１０と、波長変換素子１２と、外部共振器１４と、波長変換素子１２を駆動する駆動部１６と、駆動部１６による波長変換素子１２の駆動と発光部１０のレーザ光１８の射出を制御する制御部２０と、を備える。レーザ光源２は、外部共振器型面発光レーザ発振器である。
【００２３】
発光部１０は、複数の発光素子２２を備える。例えば、発光部１０は４個の発光素子２２を備える。
【００２４】
波長変換素子１２は、発光部１０から射出されたレーザ光１８を所定の波長に変換する。又、波長変換素子１２は、発光部１０と外部共振器１４との間に配置されており、発光部１０と外部共振器１４との間でレーザ発振しているレーザ光１８の波長を半分の波長である第２高調波に変換する。
【００２５】
波長変換素子１２の、発光部１０から射出されたレーザ光１８の光軸に垂直な断面積２４は、発光部１０の発光領域２６の平面面積より小さい。例えば波長変換素子１２の断面積２４は、隣り合う２つの発光素子２２の発光領域をカバーする大きさである。発光領域２６は、複数の発光素子２２の配置により定まる。これにより、波長変換素子１２の小型化、低コスト化が容易になる。又、波長変換素子１２は、発光部１０の発光領域２６と対向する領域内で、揺動自在に移動する。具体的には、波長変換素子１２は、例えば発光部１０の発光領域２６と対向する領域内で、発光素子２２（１）と発光素子２２（４）との間を左右に移動する。
【００２６】
外部共振器１４は、波長変換素子１２から射出されたレーザ光１８のうち所定の波長に変換されなかった光を選択して発光部１０に向かって反射させる。反射させることによって発光部１０の共振ミラーとして機能するとともに、残りのレーザ光を透過させる。これにより、発光部１０から射出されたレーザ光１８は、発光部１０と外部共振器１４との間で共振することによりレーザ発振が可能となる。外部共振器１４を含むことで共振波長の安定化が可能となり、発光部１０と外部共振器１４との間に波長変換素子１２を置くことで波長変換効率の向上が可能となる。又、外部共振器１４は、平面ミラーで発光部１０の発光波長を反射する特性を持ち、波長変換素子１２により変換された第２高調波は透過する。外部共振器１４は、４つの発光素子２２と共振可能な幅サイズである。
【００２７】
駆動部１６は、波長変換素子１２を、発光部１０の発光領域２６と対向する領域内で、揺動自在に駆動する。
【００２８】
制御部２０は、発光素子２２の発光状態と波長変換素子１２の位置とが同期するように、駆動部１６と発光部１０とを制御する。又、制御部２０は、発光素子２２の発光状態に同期して駆動部１６を制御する。これにより、波長変換素子１２をレーザ光１８の射出に合わせて移動させることで、無駄のない波長変換素子１２の駆動ができるので、低コスト化が容易になる。又は、制御部２０は、発光部１０から射出されたレーザ光１８が波長変換素子１２を通過するように、駆動部１６と発光部１０とを制御する。これにより、波長変換素子１２をレーザ光１８の射出に合わせて移動させることで、無駄のない波長変換素子１２の駆動ができるので、同様に低コスト化が容易になる。又、制御部２０は、発光部１０のレーザ光１８の射出を制御する。
【００２９】
制御部２０は、ＣＰＵやＲＯＭ、ＲＡＭ等のメモリを含むコンピュータで構成されており、ＲＯＭ内に格納された種々のプログラムに従って、例えば、発光素子２２からレーザ光１８を射出させ、その射出されたレーザ光１８が波長変換素子１２を通過するように、駆動部１６を制御する。
【００３０】
図２は、第１の実施の形態に係るレーザ光源２のレーザ光１８を射出する発光素子２２とその発光素子２２に対する波長変換素子１２の位置とを示す図である。図２の上図は、各発光素子２２（１）、２２（２）、２２（３）、２２（４）がレーザ光１８を射出するタイミングを示している。横軸は時間Ｔで、縦軸はレーザ光１８の射出を表している。図２の下図は、その際の波長変換素子１２の位置を表している。横軸は時間Ｔで、縦軸は発光部１０の発光領域２６に対向する領域であり、斜線部１２ａは波長変換素子１２の位置と発光部１０の駆動とが同期している領域を表している。又、実線１２ｂは時間Ｔの経過に伴い波長変換素子１２の位置が変位したときの波長変換素子１２の中心部の軌跡を表し、同様に実線１２ｃは波長変換素子１２の両端部の軌跡を表している。実線が横軸に平行な部分は波長変換素子１２の停止を、傾斜のある部分は波長変換素子１２が移動していることを表している。又、領域Ａは発光素子２２（１）、領域Ｂは発光素子２２（２）、領域Ｃは発光素子２２（３）、及び領域Ｄは発光素子２２（４）にそれぞれ対応している。このレーザ光源２は、パルス駆動している。例えば制御部２０は、発光素子２２が４個の場合、１つの発光素子２２を２５％の割合で順次駆動するように制御している。
【００３１】
具体的に図２に示す１周期分を説明する。まず、制御部２０は、発光素子２２（１）からレーザ光１８を射出させ、同時に波長変換素子１２が発光素子２２（１）に対応する領域Ａの位置で止まるように駆動部１６を制御する。次に、制御部２０は、発光素子２２（２）からレーザ光１８を射出させ、同時に波長変換素子１２が発光素子２２（２）に対応する領域Ｂの位置を通過するように駆動部１６を制御する。次に、制御部２０は、発光素子２２（３）からレーザ光１８を射出させ、同時に波長変換素子１２が発光素子２２（３）に対応する領域Ｃの位置を通過するように駆動部１６を制御する。次に、制御部２０は、発光素子２２（４）からレーザ光１８を射出させ、同時に波長変換素子１２が発光素子２２（４）に対応する領域Ｄの位置で止まるように駆動部１６を制御する。以降、制御部２０は、発光素子２２（３）から発光素子２２（１）までの発光状態に対応するように波長変換素子１２を駆動する駆動部１６を制御する。１周期分を終了した後は、繰り返しになる。
【００３２】
これによれば、波長変換素子１２の断面積２４は、隣り合う２つの発光素子２２の発光領域をカバーするので、発光素子２２（２）、２２（３）の発光領域と対向する領域内で波長変換素子１２を停止することなく駆動できる。
【００３３】
即ち、制御部２０は、発光素子２２からレーザ光１８を射出させ、発光部１０から射出されたレーザ光１８が波長変換素子１２を通過するように、駆動部１６を制御する。或いは、制御部２０は、波長変換素子１２を駆動する駆動部１６の動作に合わせて、発光部１０から射出されるレーザ光１８が波長変換素子１２を通過するように、発光素子２２のレーザ光１８の射出を制御してもよい。これにより、波長変換素子１２をレーザ光１８の射出に合わせて移動させることで、無駄のない波長変換素子１２の駆動ができるので、更に低コスト化が容易になる。
【００３４】
尚、本実施の形態に係る制御部２０は、発光素子２２が４個の場合、１つの発光素子２２を２５％の割合で順次駆動するように制御したが、これに限ることはなくどのような割合で発光素子を駆動させてもよい。
【００３５】
図３は、第１の実施の形態に係るレーザ光源２の駆動部１６を示す図である。この駆動部１６は、回転モータ２８と、ラック３０と、円形小歯車（ピニオン）３２と、基台３４と、を備える。又、駆動部１６は、ラック・アンド・ピニオン駆動機構を含む。このラック・アンド・ピニオン駆動機構は、波長変換素子１２を、複数の発光素子２２の配置により定まる、発光部１０の発光領域２６と対向する領域内で、発光領域２６に沿って往復運動させる。
【００３６】
基台３４には、波長変換素子１２が配置されている。又、基台３４には、波長変換素子１２の温度を制御するための、サーミスタ及びヒータ（図示せず）が配置されている。更に、基台３４には、ラック３０が配置されている。ラック３０には、ピニオン３２が噛み合っており、ピニオン３２が回転することで、ラック３０が直線方向に移動し基台３４及び基台３４上の波長変換素子１２を移動させる。駆動部１６に低負荷トルクのラック・アンド・ピニオン駆動機構を用いることにより、回転モータ２８の駆動電流を削減することができる。
【００３７】
以下、第１の実施の形態の効果を記載する。
本実施の形態によれば、波長変換素子１２を揺動自在に駆動させることにより、複数のレーザ光１８に対し波長変換素子１２を兼用できる。又、波長変換素子１２を揺動自在に駆動することにより、波長変換素子１２の幅を短くすることができ、発光領域２６より狭い波長変換素子１２を用いることができる。これにより、低コスト化が可能となるレーザ光源２を提供する。
【００３８】
以下、前記第１の実施の形態に係るレーザ光源２の駆動部１６に関する変形例を記載する。
（変形例１）
上記第１の実施の形態の変形例について次に説明する。
図４は、レーザ光源２の駆動部３６を示す図である。この駆動部３６は、回転モータ２８と、タイミングベルト３８と、基台３４と、を備える。又、駆動部３６は、ベルト駆動機構を含む。このベルト駆動機構は、波長変換素子１２を、複数の発光素子２２の配置により定まる、発光部１０の発光領域２６と対向する領域内で、発光領域２６に沿って往復運動させるタイミングベルト３８を備える。
【００３９】
具体的には、波長変換素子１２の搭載された基台３４が、ガイド軸４０上を、発光部１０の発光領域２６と並行に、即ち、発光部１０の左右の方向に、ベルトを介して駆動するベルト駆動機構が用いられている。このベルト駆動機構には、内側に歯の形成されたタイミングベルト３８が用いられており、このタイミングベルト３８の一部が基台３４に固定されている。このタイミングベルト３８は、２つの滑車４２ａ、４２ｂによりガイド軸４０と平行に設置されており、ガイド軸４０と対峙する回転モータ２８の駆動により滑車４２ａを介してガイド軸４０に沿って往復駆動する。これにより、駆動部３６の構成が容易になる。
（変形例２）
【００４０】
図５は、レーザ光源２の駆動部４４を示す図である。この駆動部４４は、回転モータ２８と、ボールネジ４６と、基台３４と、を備える。又、駆動部４４は、ボールナット駆動機構を含む。このボールナット駆動機構は、波長変換素子１２を、複数の発光素子２２の配置により定まる、発光部１０の発光領域２６と対向する領域内で、発光領域２６に沿って往復運動するボールネジ４６を備える。
【００４１】
具体的には、波長変換素子１２の搭載された基台３４が、ガイド軸４８上を、発光部１０の発光領域２６と並行に、即ち、発光部１０の左右の方向に、ネジを介して駆動されるボールナット駆動機構が用いられている。基台３４は、ガイド軸４８により移動可能に固定されており、ガイド軸４８と対峙する回転モータ２８とボールネジ４６とにより移動制御される。これにより、駆動部４４の構成が容易になり、更に、安定化する。
（第２の実施の形態）
【００４２】
第２の実施の形態について次に説明する。
図６（Ａ）は、第２の実施の形態に係るレーザ光源４の概略構成を示す図である。図６（Ｂ）は、図６（Ａ）の波長変換素子１２のIII−III線における断面図を示す図である。図６（Ｃ）は、図６（Ａ）の発光部１０のIV−IV線における断面図を示す図である。但し、図１に示す第１の実施の形態に係るレーザ光源２と同一部分には同一符号を付し、適宜説明を省略する。本実施の形態に係るレーザ光源４は、発光部１０と、波長変換素子５０と、外部共振器１４と、波長変換素子５０を駆動する駆動部５２と、駆動部５２と発光部１０のレーザ光１８の射出を制御する制御部５４と、を備える。レーザ光源４は、外部共振器型面発光レーザ発振器である。波長変換素子５０の、発光部１０から射出されたレーザ光１８の光軸に垂直な断面積５６は、発光部１０の一つの発光素子２２の発光領域５８と同等の大きさである。
【００４３】
尚、本実施の形態に係る断面積５６は、発光部１０の一つの発光素子２２の発光領域５８と同等の大きさであるとしたが、これに限ることはなく２つ以上の発光素子２２の発光領域と同等の大きさでもよい。
【００４４】
図７は、第２の実施の形態に係るレーザ光源４のレーザ光１８を射出する発光素子２２とその発光素子２２に対する波長変換素子５０の位置とを示す図である。図７の上図は、各発光素子２２（１）、２２（２）、２２（３）、２２（４）がレーザ光１８を射出するタイミングを示している。横軸は時間Ｔで、縦軸はレーザ光１８の射出を表している。図７の下図は、その際の波長変換素子５０の位置を表している。横軸は時間Ｔで、縦軸は発光部１０の発光領域２６に対向する領域であり、斜線部５０ａは波長変換素子５０の位置と発光部１０の駆動とが同期している領域を表している。又、実線５０ｂは時間Ｔの経過に伴い波長変換素子５０の位置が変位したときの波長変換素子５０の中心部の軌跡を表し、同様に実線５０ｃは波長変換素子５０の両端部の軌跡を表している。実線が横軸に平行な部分は波長変換素子５０の停止を、傾斜のある部分は波長変換素子５０が移動していることを表している。又、領域Ｅは発光素子２２（１）、領域Ｆは発光素子２２（２）、領域Ｇは発光素子２２（３）、及び領域Ｈは発光素子２２（４）にそれぞれ対応している。
【００４５】
具体的には、まず、制御部５４は、発光素子２２（１）からレーザ光１８を射出させ、同時に波長変換素子５０が発光素子２２（１）に対応する領域Ｅの位置で止まるように駆動部５２を制御する。次に、制御部５４は、発光素子２２（２）からレーザ光１８を射出させ、同時に波長変換素子５０が発光素子２２（２）に対応する領域Ｆの位置で止まるように駆動部５２を制御する。次に、制御部５４は、発光素子２２（３）からレーザ光１８を射出させ、同時に波長変換素子５０が発光素子２２（３）に対応する領域Ｇの位置で止まるように駆動部５２を制御する。次に、制御部５４は、発光素子２２（４）からレーザ光１８を射出させ、同時に波長変換素子５０が発光素子２２（４）に対応する領域Ｈの位置で止まるように駆動部５２を制御する。以降、制御部５４は、発光素子２２（３）から発光素子２２（１）までの発光状態に対応するように波長変換素子５０を駆動する駆動部５２を制御する。
【００４６】
図８は、第２の実施の形態に係るレーザ光源４の駆動部５２を示す図である。この駆動部５２は、リニア振動モータ６０と、基台３４と、を備える。又、駆動部５２は、波長変換素子５０を直線方向に振動するリニア振動モータ駆動機構を含む。このリニア振動モータ駆動機構は、波長変換素子５０を、複数の発光素子２２の配置により定まる、発光部１０の発光領域２６と対向する領域内で、発光領域２６に沿って往復運動させる。
【００４７】
基台３４には、波長変換素子５０が配置されている。又、基台３４には、波長変換素子５０の温度を制御するための、サーミスタ及びヒータ（図示せず）が配置されている。更に、基台３４に底面には、コイル６２が配置されている。このコイル６２の基台３４との反対側には、永久磁石６４が配置されている。コイル６２に電流を流すことで、ローレンツ力を利用して基台３４と波長変換素子５０を移動させることができる。これにより、駆動部５２の構成が容易になる。
【００４８】
以下、第２の実施の形態の効果を記載する。
本実施の形態によれば、波長変換素子５０を揺動自在に駆動させることにより、複数のレーザ光１８に対し波長変換素子５０を兼用できる。又、波長変換素子５０を揺動自在に駆動することにより、波長変換素子５０の幅を短くすることができ、発光領域２６より狭い波長変換素子５０を用いることができる。これにより、低コスト化が可能となるレーザ光源４を提供する。
（第３の実施の形態）
【００４９】
第３の実施の形態について次に説明する。
図９は、第３の実施の形態に係るプロジェクタ８０の概略構成を示す図である。図中においては、簡略化のためプロジェクタ８０を構成する筐体は省略している。本実施の形態に係るプロジェクタ８０は、赤色光を射出する赤色照明装置８２Ｒと、緑色光を射出する緑色照明装置８２Ｇと、青色光を射出する青色照明装置８２Ｂと、を備える。
【００５０】
赤色照明装置８２Ｒは、前述した第１の実施の形態のレーザ光源２と同一の構成を備えた、赤色のレーザ光ＬＢｒを射出する照明装置である。緑色照明装置８２Ｇは、前述した第１の実施の形態のレーザ光源２と同一の構成を備えた、緑色のレーザ光ＬＢｇを射出する照明装置である。青色照明装置８２Ｂは、前述した第１の実施の形態のレーザ光源２と同一の構成を備えた、青色のレーザ光ＬＢｂを射出する照明装置である。
【００５１】
又、プロジェクタ８０は、液晶ライトバルブ（変調部）８４Ｒ、８４Ｇ、８４Ｂと、クロスダイクロイックプリズム（色光合成部）８６と、投写レンズ（投写部）８８とを備える。液晶ライトバルブ８４Ｒ、８４Ｇ、８４Ｂは、各色の照明装置８２Ｒ、８２Ｇ、８２Ｂから射出された各色のレーザ光ＬＢｒ、ＬＢｇ、ＬＢｂをパソコン等から送られてきた画像信号に応じてそれぞれ変調する。クロスダイクロイックプリズム８６は、液晶ライトバルブ８４Ｒ、８４Ｇ、８４Ｂから射出された光を合成して投写レンズ８８に導く。投写レンズ８８は、液晶ライトバルブ８４Ｒ、８４Ｇ、８４Ｂによって形成された像を拡大してスクリーン９０に投写する。
【００５２】
各液晶ライトバルブ８４Ｒ、８４Ｇ、８４Ｂによって変調された３つの色光は、クロスダイクロイックプリズム８６に入射する。このプリズムは４つの直角プリズムを貼り合わせて形成され、その内面に赤色光を反射する誘電体多層膜と青色光を反射する誘電体多層膜とが十字状に配置されている。これらの誘電体多層膜によって３つの色光が合成され、カラー画像を表す光が形成される。そして、合成された光は投写光学系である投写レンズ８８によりスクリーン９０上に投写され、拡大された画像が表示される。
【００５３】
以下、第３の実施の形態の効果を記載する。
本実施の形態によれば、波長変換素子を揺動自在に駆動することにより、複数のレーザ光に対し波長変換素子を兼用できる。又、波長変換素子を揺動自在に駆動することにより、波長変換素子の幅を短くすることができ、発光領域より狭い波長変換素子を用いることができるレーザ光源２を含む。これにより、低コスト化が可能となるプロジェクタ８０を提供する。
【００５４】
尚、本実施の形態に示した１列に並ぶ発光素子２２を備えた発光部１０に限定されず、発光部１０は発光素子２２をマトリクス状に配置構成してもよい。この場合、波長変換素子１２，５０は、例えば発光部１０の発光領域２６と対向する領域内で、上下左右、２次元的に移動するのが好ましい。
【００５５】
又、本実施の形態に示した回転モータ２８及びリニア振動モータ６０に限定されず、圧電素子、超音波モータ、電磁アクチュエータ、又はバネ部材などで構成してもよい。この場合、例えばレーザ光１８を射出する都度、波長変換素子１２，５０を停止させるときには、パルスモータを使用するのが好ましい。又、本実施の形態に示したように、波長変換素子１２，５０を無段階に移動させながらレーザ光１８を射出するときには、リニア振動モータを使用するのが好ましい。更に、ばね部材を用いた場合には、波長変換素子１２，５０を移動させるための電力を不要とすることができる。この場合、レーザ光１８の射出以前にバネ部材を縮めるか、又は伸ばす方向で移動対象を移動させておき、レーザ光１８の射出に応じてバネ部材が延びるか、又は縮むことで波長変換素子１２，５０を移動させるように構成すればよい。
【図面の簡単な説明】
【００５６】
【図１】第１の実施の形態に係るレーザ光源の概略構成を示す図。
【図２】第１の実施の形態に係るレーザ光源のレーザ光を射出する発光素子とその発光素子に対する波長変換素子の位置とを示す図。
【図３】第１の実施の形態に係るレーザ光源の駆動部を示す図。
【図４】レーザ光源の駆動部を示す図。
【図５】レーザ光源の駆動部を示す図。
【図６】第２の実施の形態に係るレーザ光源の概略構成を示す図。
【図７】第２の実施の形態に係るレーザ光源のレーザ光を射出する発光素子とその発光素子に対する波長変換素子の位置とを示す図。
【図８】第２の実施の形態に係るレーザ光源の駆動部を示す図。
【図９】第３の実施の形態に係るプロジェクタの概略構成を示す図。
【図１０】従来例を説明する図。
【符号の説明】
【００５７】
２，４…レーザ光源  １０…発光部  １２…波長変換素子  １４…外部共振器  １６…駆動部  １８…レーザ光  ２０…制御部  ２２…発光素子  ２４…断面積  ２６…発光領域  ２８…回転モータ  ３０…ラック  ３２…円形小歯車（ピニオン）  ３４…基台  ３６…駆動部  ３８…タイミングベルト  ４０…ガイド軸  ４４…駆動部  ４６…ボールネジ  ４８…ガイド軸  ５０…波長変換素子  ５２…駆動部  ５４…制御部  ５６…断面積  ５８…発光領域  ６０…リニア振動モータ  ６２…コイル  ６４…永久磁石  ８０…プロジェクタ  ８２Ｒ…赤色照明装置  ８２Ｇ…緑色照明装置  ８２Ｂ…青色照明装置  ８４Ｒ，８４Ｇ，８４Ｂ…液晶ライトバルブ  ８６…クロスダイクロイックプリズム  ８８…投写レンズ  ９０…スクリーン。
【図１】
2008305883.tif 000003
【図２】
2008305883.tif 000004
【図３】
2008305883.tif 000005
【図４】
2008305883.tif 000006
【図５】
2008305883.tif 000007
【図６】
2008305883.tif 000008
【図７】
2008305883.tif 000009
【図８】
2008305883.tif 000010
【図９】
2008305883.tif 000011
【図１０】
2008305883.tif 000012